(57)【特許請求の範囲】
【請求項１】
幅方向に対向立設している両側壁部材と、この両側壁部材に幅方向に跨がるように接合している上壁部材と、前記両側壁部材の下端部間に設けている底壁部材とを長手方向に連結して、内部に前記長手方向へ指向する複数の中空部を形成していると共に、この中空部を並列した状態で複数形成している中空構造物であり、前記各中空部を形成している前記各底壁部材は、同一面上の位置に設置していると共に、各中空部を形成している前記各上壁部材は、各中空部毎にその並列方向へ徐々に底壁部材の方向へ移動する位置に設置されており、各中空部の仕切り壁となっている前記側壁部材は、その先端部分が断面略Ｙ字状に枝分かれしており、一方が高い位置に延びていると共に、他方が低い位置に延びていることを特徴とする複数の中空部を有する中空構造物。
【発明の詳細な説明】
【０００１】
【発明の属する技術分野】
この発明は、例えば、並列した複数のトンネル（中空部）を一体に形成してなる構造物などの、並列した状態の複数の中空部を有する中空構造物に関するものである。
【０００２】
【従来の技術】
複数の中空部を有する中空構造物として、従来では、図２に示すように、各中空部20を構成している各上壁部材21と各底壁部材22とが同一レベルに位置しており、同一規模の空間で構成した各中空部20を同一面上に複数並列するような形態のものが一般に知られている。
【０００３】
【発明が解決しようとする課題】
前述した従来の中空構造物は、上面が傾斜している盛土部分に設置するのには不向きなものであった。
【０００４】
詳述すると、例えば、図２に示すように、河川に橋23を架ける場合その橋23の桁高Ｌを一定以上確保するためには、橋23に向かって上面が傾斜した盛土部分24を形成して、橋23への導入路25を作る必要がある。
【０００５】
そして、この盛土部分はその周辺地域を分断してしまうこととなるので、従来から、盛土部分にトンネル（中空部）を形成して、盛土部分の中を通行できるようにすることが行われている。
【０００６】
このトンネル（中空部）の形成は、盛土後に掘削するよりも、中空構造物の設置後その上に盛土した方が、簡単に短時間で行える。
【０００７】
ところが、前述した従来の中空構造物を設置した後に盛土しようとすると、図に示すように、従来の中空構造物26の各上壁部材21は同一レベルに位置しているので、上壁部材21と盛土部分24の傾斜した上面24ａとが干渉してしまい、傾斜した上面24ａを形成することができなくなってしまう。
【０００８】
なお、中空部が一つの中空構造物を盛土の最も高い部分一か所のみに設置すれば、傾斜した上面に関係なく、トンネル（中空部）を形成することはできる。しかし、例えば、二車線にすることや、車と人とを別けて通行させることができない等、盛土部分の有効利用ができなくなる。
【０００９】
このように、前述した従来の中空構造物では、トンネル（中空部）の形成は簡単に短時間で行えるものの、その複数の中空部を有効に利用することが、即ち、盛土部分を有効利用できるようにすることができなかった。
【００１０】
この発明は前述した事情に鑑みて創案されたもので、その目的は上面が傾斜している盛土部分に容易に対応することができて、その盛土部分を有効利用できるようにする複数の中空部を有する中空構造物を提供することにある。
【００１１】
【課題を解決するための手段】
この発明での中空構造物は、幅方向に対向立設している両側壁部材と、この両側壁部材に幅方向に跨がるように接合している上壁部材と、両側壁部材の下端部間に設けている底壁部材とを長手方向に連結して、内部に長手方向へ指向する複数の中空部を形成していると共に、この中空部を並列した状態で複数形成してなるものとする。
【００１２】
そして、この発明の中空構造物の各中空部を形成している各底壁部材は、同一面上の位置に設置している。また、中空構造物の各中空部を形成している各上壁部材は、各中空部毎にその並列方向へ徐々に底壁部材の方向へ移動する位置に設置されており、各中空部の仕切り壁となっている側壁部材は、その先端部分が断面略Ｙ字状に枝分かれしており、一方が高い位置に延びていると共に、他方が低い位置に延びている。
【００１３】
このようなこの発明の複数の中空部を有する中空構造物によれば、設置位置が、各中空部毎にその並列方向へ徐々に、底壁部材の方向へ移動している各上壁部材に沿って、盛土部分の傾斜した上面を形成できるようにしている。
【００１４】
このことから、この発明の中空構造物を用いれば、盛土部分の傾斜した上面に対応して中空部を複数形成できるようになり、盛土部分を有効利用することができるようになる。
【００１５】
【発明の実施の形態】
以下、この発明の複数の中空部を有する中空構造物を、図示する一実施形態によって説明する。
【００１６】
中空構造物１（図１参照）は、幅方向に対向立設している両側壁部材２と、この両側壁部材２に幅方向に跨がるように接合している上壁部材３と、両側壁部材２の下端部間に設けている底壁部材４とを長手方向に連結して、内部に長手方向へ指向する複数の中空部５を形成していると共に、この中空部５を並列した状態で複数形成してなっている。
【００１７】
そして、この中空構造物１の各中空部５を形成している各底壁部材４は、同一面上の位置に設置している。また、中空構造物１の各中空部５を形成している各上壁部材３は、各中空部５毎にその並列方向へ徐々に底壁部材４の方向へ移動する位置に設置している。
【００１８】
なお、この実施形態での中空構造物１は、図１に示すように、河川６に橋７を架ける場合で、その橋７に向かって上面8aが傾斜するように形成した盛土部分８に設けている。
【００１９】
また、この実施形態での中空構造物１は、その中空部５を四個形成しており、河川６側の中空部５が最も大きな規模になると共に、河川６から離れるにつれて小さな規模となるように構成している。
【００２０】
即ち、中空構造物１は、その各中空部５を構成している各上壁部材３の設置位置が、各中空部５毎にその並列方向へ徐々に底壁部材４の方向へ移動して、各上壁部材３が、河川６から離れる方向へ下がる傾斜である盛土部分８の上面8aに沿って設置される状態となっている。
【００２１】
さらに、この実施形態での中空構造物１は、両側壁部材２と上壁部材３とを別部材にして予め製作しておき、その各部材を施工現場にて組立てることで構成している。また、底壁部材４は、施工現場にてコンクリートを打設することで形成している。
【００２２】
この中空構造物１は、その両側壁部材２と上壁部材３と底壁部材４とを一体に成形したものでもよい。
【００２３】
この実施形態での各中空部５の仕切り壁となっている側壁部材２は、その先端部分が断面略Ｙ字状に枝分かれしており、各中空部５毎にその並列方向へ徐々に底壁部材４の方向へ移動している各上壁部材３に対応して、一方が高い位置に延びていると共に、他方が低い位置に延びている。
【００２４】
このような構成からなる複数の中空部５を有する中空構造物１を用いれば、その各上壁部材３の設置位置が、各中空部５毎にその並列方向へ徐々に、底壁部材４の方向へ移動していることにより、中空構造物１の上に盛土した場合、各上壁部材３に沿って、盛土部分８の傾斜した上面8aを形成することがてきる。
【００２５】
このことから、この発明の中空構造物１を用いれば、盛土部分８上面8aの傾斜に対応して中空部５を複数形成できるようになって、盛土部分８を有効利用することができるようになる。
【００２６】
【発明の効果】
この発明の複数の中空部を有する中空構造物では、中空構造物構成用である各上壁部材の設置位置が、各中空部毎にその並列方向へ徐々に、中空構造物構成用である底壁部材の方向へ移動している。
【００２７】
そのため、この中空構造物の上に盛土した場合に、各上壁部材に沿って、盛土部分の傾斜した上面を形成することができる。
【００２８】
このことから、この発明の中空構造物を用いれば、盛土部分上面の傾斜に対応して中空部を複数形成できるようになって、盛土部分を有効利用することができるようになる。
【図面の簡単な説明】
【図１】この発明の複数の中空部を有する中空構造物を上面が傾斜している盛土部分に設置した状態を示す概略図である。
【図２】従来の複数の中空部を有する中空構造物を上面が傾斜している盛土部分に設置した状態を示す概略図である。
【符号の説明】
１…中空構造物、２…側壁部材、３…上壁部材、４…底壁部材、５…中空部、６…河川、７…橋、８…盛土部分、8a…上面。
【図１】
0004584419.tif 000002
【図２】
0004584419.tif 000003